(57)【特許請求の範囲】
【請求項１】
薬剤を収納する保冷温容器であって、上部開口部を有する容器本体と、この容器本体の上部開口部を隠蔽する状態で該容器本体の上部に着脱自在に嵌合されるコップ状の蓋体とから成り、この容器本体は内筒体と外筒体とで構成され、この内筒体と外筒体との間は真空断熱部に構成されており、前記コップ状の蓋体には、その内部を仕切る仕切部が設けられ、この仕切部と前記蓋体の内面とで形成される空間は予備収納空間部に設定され、前記仕切部は前記蓋体に設けられる固定板と上下擺動自在の板体とにより構成され、前記板体は一端部が固定板に枢着され、他端部には該板体を前記蓋体の開口部の反対側に擺動させた際に前記固定板と係止する係止部が設けられていることを特徴とする薬剤用保冷温容器。
【請求項２】
請求項１記載の薬剤用保冷温容器において、前記仕切部は前記蓋体内を上下に仕切る構成であることを特徴とする薬剤用保冷温容器。
【請求項３】
請求項１，２いずれか１項に記載の薬剤用保冷温容器において、前記蓋体の予備収納空間部は、保冷温保存を要する薬剤を収納し得るように構成されていることを特徴とする薬剤用保冷温容器。
【請求項４】
請求項１，２いずれか１項に記載の薬剤用保冷温容器において、前記蓋体の予備収納空間部は、分解した注射器を収納し得るように構成されていることを特徴とする薬剤用保冷温容器。
【請求項５】
請求項１〜４いずれか１項に記載の薬剤用保冷温容器において、前記容器本体には保冷材が設けられていることを特徴とする薬剤用保冷温容器。
【請求項６】
請求項５記載の薬剤用保冷温容器において、前記保冷材は、前記容器本体の内面に筒状に配設されていることを特徴とする薬剤用保冷温容器。
【請求項７】
請求項１〜６いずれか１項に記載の薬剤用保冷温容器において、前記容器本体は金属製真空断熱二重容器であることを特徴とする薬剤用保冷温容器。
【発明の詳細な説明】
【０００１】
【発明の属する技術分野】
本発明は、薬剤用保冷温容器に関するものである。
【０００２】
【従来の技術及び発明が解決しようとする課題】
糖尿病の患者は、一日数回（一般的には毎食後）、インシュリンを注射（投薬）しなければならない。
【０００３】
ところで、このインシュリンは、熱に対して不安定であるため、保管する際、適温に保冷する必要がある。
【０００４】
そのため、患者は、病院から処方されたインシュリンを冷蔵庫等に保冷状態で保管し、注射（投薬）時間になったら、冷蔵庫等から取り出して注射（投薬）しなければならない。
【０００５】
従って、糖尿病の患者が外出する際には、注射すべき時間に一旦家に戻り、冷蔵庫からインシュリンを取り出して注射するか、または、外出先で保冷設備を確保し、その保冷設備に保管しておいたインシュリンを取り出して注射する必要があり、大変厄介である。
【０００６】
特に、例えばキャンプに出かけた時のように、外出先で保冷設備を確保することが難しい場合には、患者は、クーラーボックス等の本来はペットボトルジュースを収納するような大型の収納容器にインシュリンを保冷しつつ持ち運ぶ必要があり、持ち運びが非常に厄介である。
【０００７】
また、このクーラーボックスは、合成樹脂製の収納容器に単に保冷材を入れて保冷しようとする構成のため、保冷性が悪く、例えば数時間放置し続けると、クーラーボックス内の温度が徐々に上がり始め、インシュリンの保管に適さなくなってしまう。
【０００８】
そこで、本発明は、上述の問題点を解決したもので、熱に対して不安定なインシュリン等の薬剤を、保管に適した温度で極めて良好に保冷温し続けることができ、しかも容易にどこへでも持ち運ぶことができる画期的な薬剤用保冷温容器を提供するものである。
【０００９】
【課題を解決するための手段】
添付図面を参照して本発明の要旨を説明する。
【００１０】
薬剤１を収納する保冷温容器２であって、上部開口部７を有する容器本体６と、この容器本体６の上部開口部７を隠蔽する状態で該容器本体６の上部に着脱自在に嵌合されるコップ状の蓋体８とから成り、この容器本体６は内筒体３と外筒体４とで構成され、この内筒体３と外筒体４との間は真空断熱部５に構成されており、前記コップ状の蓋体８には、その内部を仕切る仕切部９が設けられ、この仕切部９と前記蓋体８の内面とで形成される空間は予備収納空間部11に設定され、前記仕切部９は前記蓋体８に設けられる固定板９Ｃと上下擺動自在の板体９Ａとにより構成され、前記板体９Ａは一端部が固定板９Ｃに枢着され、他端部には該板体９Ａを前記蓋体８の開口部の反対側に擺動させた際に前記固定板９Ｃと係止する係止部９Ｂが設けられていることを特徴とする薬剤用保冷温容器に係るものである。
【００１１】
また、請求項１記載の薬剤用保冷温容器において、前記仕切部９は前記蓋体８内を上下に仕切る構成であることを特徴とする薬剤用保冷温容器に係るものである。
【００１２】
また、請求項１，２いずれか１項に記載の薬剤用保冷温容器において、前記蓋体８の予備収納空間部11は、保冷温保存を要する薬剤を収納し得るように構成されていることを特徴とする薬剤用保冷温容器に係るものである。
【００１３】
また、請求項１，２いずれか１項に記載の薬剤用保冷温容器において、前記蓋体８の予備収納空間部11は、分解した注射器20を収納し得るように構成されていることを特徴とする薬剤用保冷温容器に係るものである。
【００１４】
また、請求項１〜４いずれか１項に記載の薬剤用保冷温容器において、前記容器本体６には保冷材13が設けられていることを特徴とする薬剤用保冷温容器に係るものである。
【００１５】
また、請求項５記載の薬剤用保冷温容器において、前記保冷材13は、前記容器本体６の内面に筒状に配設されていることを特徴とする薬剤用保冷温容器に係るものである。
【００１６】
また、請求項１〜６いずれか１項に記載の薬剤用保冷温容器において、前記容器本体６は金属製真空断熱二重容器であることを特徴とする薬剤用保冷温容器に係るものである。
【００１７】
【発明の作用及び効果】
本発明の容器本体６は、内筒体３と外筒体４との間に真空断熱部５が設けられた構成であるから、真空断熱部５が非常に高い保冷温作用を発揮し、よって、容器本体６に収納した薬剤１を、外気の温度に左右されることなく、最適な温度で長期間良好に保管し続けることができる。
【００１８】
また、容器本体６を小さく形成した場合でも、真空断熱部５の保冷温効果が極めて高いため、この容器本体６に収納した薬剤１を最適な温度で極めて良好に保冷温し続けることができ、よって保冷温容器２全体を小さく形成することが可能で、これにより、極めて持ち運び容易な薬剤用保冷温容器を実現できることになる。
【００１９】
本発明は上述のように構成したから、適温で保管しなければならない薬剤を長期間良好に保冷温して持ち運びできる実用性に秀れた薬剤用保冷温容器となる。
【００２０】
【発明の実施の形態】
図面は本発明の一実施例を図示したものであり、以下に説明する。
【００２１】
本実施例は、図１に示すように、薬剤１を収納する保冷温容器２であって、上部開口部７を有する容器本体６と、この容器本体６の上部開口部７を隠蔽する状態で該容器本体６の上部に着脱自在に嵌合されるコップ状の蓋体８とから成り、この容器本体６は有底筒体で構成される内筒体３と有底筒体で構成される外筒体４とで構成され、この内筒体３と外筒体４との間は真空断熱部５に構成されているものである。
【００２２】
薬剤１は、適温で保管する必要があり、且つ、持ち運ばなければならない場合が多々あるインシュリン等である。尚、以下の説明は薬剤１がインシュリンである場合での説明である。
【００２３】
容器本体６は、内筒体３となる所定の径を有する金属製の有底筒体と、この内筒体３の径よりもやや大きな径を有する外筒体４となる金属製の有底筒体と、内筒体３及び外筒体４間に形成した真空断熱部５とにより構成されている。
【００２４】
内筒体３と外筒体４とは、夫々の有底筒体の上部開口部同志を接合することで、内筒体３を外筒体４内に吊り下げ状態に配設した構成としている。
【００２５】
また、真空断熱部５は、内筒体３と外筒体４との間を真空封止することにより形成されている。
【００２６】
内筒体３の内部に形成した空間部は、容器本体６に薬剤１を収納する収納部に設定されている。
【００２７】
また、容器本体６の上部の外周面には、蓋体８を被嵌係止するための雄螺子部が設けられている。
【００２８】
容器本体６の内部には保冷材13が積層状態に配設されている。
【００２９】
この保冷材13は、高分子ポリマーを合成樹脂製等の袋に収納した板状のものを採用しており、この板状の保冷材13は、筒状に丸められて容器本体６内に収納されている。
【００３０】
この筒状に丸めた保冷材13の内部には薬剤１を収納した収納容器等（アンプル）が収納される。
【００３１】
また、保冷材13は、容器本体６に対して出し入れ自在に構成している。
【００３２】
容器本体６の上部には蓋体８が付設されている。この蓋体８は、前記容器本体６の上部開口部７を丁度隠蔽しつつ該容器本体６の上部に被嵌係止し得る大きさのコップ状に構成されている。
【００３３】
また、蓋体８は、該蓋体８の開口部が容器本体６の上部に被嵌係止する構成である。また、蓋体８は、図２に示すように、金属製の外殻８Ａの内面に断熱効果を有する合成樹脂製の内殻８Ｂが積層状態に配設された構成である。
【００３４】
また、蓋体８の開口部側の内周面、即ち、内殻８Ｂの開口部側の内周面には、蓋体８を容器本体６の上部に被嵌係止させるための雌螺子部が設けられている。
【００３５】
この蓋体８内部の内殻８Ｂには、該蓋体８の内部を仕切る仕切部９が突出状態で設けられ、この仕切部９と蓋体８の内面とで形成される空間は、注射器や他の薬剤を収納する予備収納空間部11に設定されている。
【００３６】
また、本実施例は、この予備収納空間部11の大きさをインシュリン注射用の注射器20を収納可能な大きさに設定している。尚、薬剤１の他、座薬、液薬、粉薬等の他の保冷温保存を要する薬を収納してもよい。
【００３７】
また、蓋体８内を仕切る仕切部９は板体９Ａと該板体９Ａを蓋体８に固定係止するための固定板９Ｃにより構成されている。
【００３８】
また、板体９Ａには、該板体９Ａを固定板９Ｃに係止するための係止部９Ｂが設けられている。
【００３９】
この板体９Ａは、蓋体８の容器本体６への嵌合係止を妨げないと共に蓋体８の上部内壁からなるべく離れた位置に配設されている。
【００４０】
即ち、蓋体８は上記板体９Ａ及び固定板９Ｃにより、上下に仕切られた構成となっている。
【００４１】
また、蓋体８には、予備収納空間部11に収納した収納物20を保持する保持部12が設けられている。
【００４２】
尚、本実施例の保持部12は板体９Ａ及び固定板９Ｃである。
【００４３】
仕切部９を構成する板体９Ａは一端部が蓋体８の内殻８Ｂに突設した固定板９Ｃに枢着されて上下擺動自在に構成されている。また、この板体９Ａは、蓋体８の開口部の反対側に（上方位置に）擺動した際、該板体９Ａの他端部に設けた係止部９Ｂが蓋体８の内部に設けた係止機構14により係止固定される構成となっている。
【００４４】
尚、図中符号18は、板体９Ａを上下擺動操作するための掴み部18であり、19は、板体９Ａを良好に上下擺動させるための軸部19である。
【００４５】
本実施例は上述のように構成したから、真空断熱部５が非常に高い保冷温効果を発揮し、よって、適温で保管しなければならない薬剤１を容器本体６に収納して外気の温度に左右されることなく、長期間良好に保冷温して持ち運びできる実用性に秀れた薬剤用保冷温容器となる。
【００４６】
即ち、保冷温容器２は、いわば保冷を要する薬を簡易に持ち運びできる薬箱となる。
【００４７】
従って、たとえ炎天下に長時間放置したとしても、容器本体６内は外気の温度に左右されずに薬剤１の保管に適した温度に保つことができ、これにより、薬剤１を劣化させることなく極めて長期間良好な状態で保管することができる。
【００４８】
また、保冷温容器２は、真空断熱部５により極めて秀れた保冷温効果を発揮できるため、小さく形成することができ、故に手軽に持ち運びできる極めて実用性に秀れた薬剤用保冷温容器となる。
【００４９】
従って、キャンプ等に出かけた時のように、外出先で保冷設備を容易に確保出来ない場合などでも、大きなクーラーボックスを持ち歩く必要もなく、手軽に熱に弱い薬剤１を長期間に渡り持ち運びすることができる。
【００５０】
また、容器本体６には保冷材13が設けられているため、この保冷材13の冷却作用により容器本体６内の温度を薬剤１の保管に適した低温にでき、これにより、薬剤１の保管をより一層良好に行うことができる。
【００５１】
また、少ない保冷材13を容器本体６に設けるだけでも、この保冷材13の保冷作用が真空断熱部５により長期間良好に維持されるため、容器本体６に収納した薬剤１を保冷材13により良好に保冷することができることになる。
【００５２】
しかも、本実施例の容器本体６は金属製のため、保冷材13の冷却作用が内筒体３を伝わって容器本体６の全体に良好に伝わり、容器本体６に収納した薬剤１をより一層良好に保冷しつつ保存することができる。
【００５３】
また、この容器本体６は、冷却する前の板状の保冷材13を筒状に丸めてこの容器本体６内に収納した後冷蔵庫等で冷却し、冷却により筒状に硬化した保冷材13の中心部に薬剤１を収納することができるため、薬剤１をより良好に保冷しつつ保存することができる。
【００５４】
また、保冷温容器２を使用した後には、蓋体８を容器本体６から取り外し、容器本体６内の保冷材13を温めるだけで、該保冷材13は可撓性を有する状態となり、容易に取り出すことができる。
【００５５】
更に、容器本体６から保冷材13を取り出せることで、容器本体６と保冷材13を夫々洗浄することができるため、容器本体６と保冷材13とを薬剤１の保管に適した清潔な状態に保つことができる。
【００５６】
また、容器本体６に保冷材13を入れたまま冷蔵庫等で冷やすことにより、容器本体６内や保冷材13に手を触れないようにすることもでき、これによっても、保冷温容器２を清潔に使用することができる。
【００５７】
また、蓋体８は、外殻８Ａと内殻８Ｂの二重構造であるから、予備収納空間部11を薬剤１の保管に適した温度に保つことができる。
【００５８】
更に、保冷材13を使用した場合には、この保冷材13の冷却作用が蓋体８の二重構造によっても良好に維持される。
【００５９】
また、蓋体８の内殻８Ｂが合成樹脂製であるために、蓋体８を容器本体６に螺着させるための雌螺子部を容易に形成することができ、しかも、この蓋体８と容器本体６の螺合部分は、蓋体８の合成樹脂製の雌螺子部の弾性作用により、蓋体８を雄螺子部に密着させつつ強固に螺着できるため、容器本体６の収納部を密閉でき、一層保冷効果を高めることができる。
【００６０】
また、蓋体８に形成した予備収納空間部11は、仕切部９により閉塞できるため、容器本体６の上方への冷気の放散を防止する空気断熱構造の役割も果たし、これにより、容器本体６がより一層良好な保冷温効果を発揮することができる。
【００６１】
また、蓋体８の内部に配設した板体９Ａ（仕切部９）は、係止機構14により良好に係止される構成のため、予備収納空間部11に収納した収納物20を確実に該予備収納空間部11内に保持することができる。
【００６２】
また、この容器本体６の上部が蓋体８の内部に嵌入される構成で、容器本体６と予備収納空間部11とが近接する為、容器本体６に収納した保冷材13の冷却作用により予備収納空間部11に収納した薬剤等も良好に冷却され、この点においても良好な保冷を達成することができる。
【００６３】
また、容器本体６に収納して冷却しておいたインシュリン１を、この容器本体６に被嵌されていた蓋体８内の予備収納空間部11に収納した注射器20で注射することができ、この場合、注射器20が冷えているから、容器本体６からインシュリン１を取り出して直ぐに注射することができる。
【００６４】
また、インシュリン１が冷えていない注射器20と接触して熱分解することも防止することができる。
【図面の簡単な説明】
【図１】  本実施例の全体説明断面図である。
【図２】  本実施例の要部の拡大説明断面図である。
【図３】  本実施例の蓋体の内面構造を示す説明斜視図である。
【図４】  本実施例の分解説明斜視図である。
【符号の説明】
１  薬剤
２  保冷温容器
３  内筒体
４  外筒体
５  真空断熱部
６  容器本体
７  上部開口部
８  蓋体
９  仕切部
９Ａ  板体
９Ｂ 係止部
９Ｃ 固定板
11  予備収納空間部
12  保持部
13  保冷材
20  収納物（注射器）
【図１】
0003789811.tif 000002
【図２】
0003789811.tif 000003
【図３】
0003789811.tif 000004
【図４】
0003789811.tif 000005